(57)【要約】【課題】光源から発せられる熱が筐体内に収容される電源ユニットへ伝わるのを抑制することが可能な照明器具を提供する。【解決手段】光源モジュールと、光源モジュールに電源を供給する電源ユニットと、光源モジュール及び電源ユニットを内部に収容する筐体と、筐体に回動自在に取り付けられるアームとを備え、筐体は、部品取付面と、部品取付面の正面及び背面のそれぞれから延伸した側面とを有し、部品取付面の正面に光源モジュールが固定され、部品取付面の背面から離して電源ユニットが配置されているものである。【選択図】図３
2020021669.tif 000002
【特許請求の範囲】
【請求項１】
光源モジュールと、
前記光源モジュールに電源を供給する電源ユニットと、
前記光源モジュール及び前記電源ユニットを内部に収容する筐体と、
前記筐体に回動自在に取り付けられるアームとを備え、
前記筐体は、部品取付面と、前記部品取付面の正面及び背面のそれぞれから延伸した側面とを有し、前記部品取付面の正面に前記光源モジュールが固定され、前記部品取付面の背面から離して前記電源ユニットが配置されている照明器具。
【請求項２】
前記電源ユニットは、前記部品取付面の前記背面から延伸した前記側面との間に隙間を介して配置される請求項１に記載の照明器具。
【請求項３】
前記電源ユニットは、前記部品取付面と対向する側が開放されている請求項１又は請求項２に記載の照明器具。
【請求項４】
前記電源ユニットに接続される電線が、前記電源ユニットの開放部分から前記電源ユニットの内部に引き込まれる請求項３に記載の照明器具。
【請求項５】
前記アームは、前記筐体の前記部品取付面に固定されたアーム軸受け部に回動自在に取り付けられるアーム軸と、前記電線を通す孔が形成された電線支持部とを備えている請求項４に記載の照明器具。
【請求項６】
前記部品取付面の前記背面から延伸した前記側面は、背面側から正面側に向かうに連れて厚みが厚く形成されている請求項１〜請求項５の何れか一項に記載の照明器具。
【請求項７】
前記部品取付面は、前記光源モジュールを正面側から保持するソケット前面部と同じ厚みに形成されている請求項１〜請求項６の何れか一項に記載の照明器具。
【請求項８】
前記筐体の前記側面は、前記アームの回動を許容する切り欠きが形成された筒状である請求項１〜請求項７の何れか一項に記載の照明器具。
【発明の詳細な説明】
【技術分野】
【０００１】
本発明は、電源ユニットを備えた照明器具に関する。
【背景技術】
【０００２】
特許文献１には、ダクトレールに取り付けられるプラグ及びプラグに水平方向に並んで配置される電源ユニットを有する電源ブロックと、電源ブロックの下面側に固定されたアームと、アームの下端部に回動可能に保持され、光源モジュールが配置された本体部と、を備えた照明器具が記載されている。
【先行技術文献】
【特許文献】
【０００３】
【特許文献１】特開２０１６−３１９２１号公報
【発明の概要】
【発明が解決しようとする課題】
【０００４】
特許文献１では、電源ユニットがプラグと水平方向に並んで配置される構成としているが、電源ユニットの配置位置を変えて意匠の異なる照明器具を構成する場合、光源モジュールが発生する熱の放熱性を考慮する必要がある。具体的には、電源ユニットを本体部の筐体内に配置する構成とする場合、特許文献１に比べて電源ユニットが光源モジュールに近づく。このため、光源モジュールの発生する熱を筐体から放熱しつつ、電源ユニットへの伝熱を抑制する構成とする必要がある。
【０００５】
本発明は、このような点を鑑みなされたもので、光源モジュールから発せられる熱が筐体の内部に収容される電源ユニットへ伝わるのを抑制することが可能な照明器具を提供することを目的とする。
【課題を解決するための手段】
【０００６】
本発明に係る照明器具は、光源モジュールと、光源モジュールに電源を供給する電源ユニットと、光源モジュール及び電源ユニットを内部に収容する筐体と、筐体に回動自在に取り付けられるアームとを備え、筐体は、部品取付面と、部品取付面の正面及び背面のそれぞれから延伸した側面とを有し、部品取付面の正面に光源モジュールが固定され、部品取付面の背面から離して電源ユニットが配置されているものである。
【発明の効果】
【０００７】
本発明によれば、部品取付面の前面に光源モジュールが固定され、部品取付面の背面から離して電源ユニットが配置されているので、光源モジュールから発せられて部品取付面に伝わった熱が電源ユニットへ伝わることを抑制できる。
【図面の簡単な説明】
【０００８】
【図１】本発明の実施の形態１における照明器具１００の斜視図である。
【図２】本発明の実施の形態１における照明器具１００の分解斜視図である。
【図３】本発明の実施の形態１における照明器具１００の概略縦断面図である。
【図４】図３の点線で囲った部分の拡大図である。
【図５】本発明の実施の形態１に係る照明器具１００の部品取付正面１１−１ａの正面図である。
【図６】本発明の実施の形態１に係る照明器具１００における集光レンズ１５の保持構造を説明する要部概略断面図である。
【図７】本発明の実施の形態１に係る照明器具１００の筐体１１を背面側から見た図である。
【図８】本発明の実施の形態１に係る照明器具１００から電源ユニット１７を取り外した状態を背面側から見た図である。
【図９】本発明の実施の形態１に係る照明器具１００を背面側から見た図である。
【発明を実施するための形態】
【０００９】
実施の形態１．
図１は、本発明の実施の形態１における照明器具１００の斜視図である。図２は、本発明の実施の形態１における照明器具１００の分解斜視図である。図３は、本発明の実施の形態１における照明器具１００の概略縦断面図である。図４は、図３の点線で囲った部分の拡大図である。なお、本実施の形態１において、光が出射する側を正面側、その反対側を背面側とする。また、本実施の形態１において、「上」、「下」、「右」、「左」、「前」、「後」は、図１の照明器具１００の設置姿勢を基準としたものとする。
【００１０】
照明器具１００は、本体部１０と、一方の端部が本体部１０に回動可能に取り付けられるアーム２０と、アーム２０の他方の端部に回動可能に取り付けられるプラグ３０とを備える。照明器具１００は、被取付部であるダクトレール（図示せず）にプラグ３０が取り付けられて使用される。照明器具１００は、狭角の照明光を出射するいわゆるスポットライトであるが、スポットライトに限定されるものではない。
【００１１】
図１〜図４に示すように、本体部１０は、筐体１１と、筐体１１内の正面側に収納される光源モジュール１２と、絶縁シート１４と、光源モジュール１２から出射される光を集光又は拡散する集光レンズ１５と、集光レンズ１５を保持するレンズホルダ１６とを備える。本体部１０は更に、筐体１１内の背面側に収納され、光源モジュール１２に電力を供給する電源ユニット１７を備える。
【００１２】
筐体１１は、円板状の部品取付面１１−１と、部品取付面１１−１の外周面を囲むように形成された筒状であって、正面側から背面側に向かって直径が縮小するテーパ状の側面１１−２とを備えている。側面１１−２は、部品取付面１１−１の正面側の面（以下、部品取付正面という）１１−１ａ及び部品取付面１１−１の背面側の面（以下、部品取付背面という）１１−１ｂのそれぞれから正面側及び背面側に延伸して形成されている。側面１１−２はアルミ合金の射出成形により形成される。側面１１−２の軸方向は照明器具１００の光軸Ｃ方向に一致している。
【００１３】
このように側面１１−２は部品取付正面１１−１ａ及び部品取付背面１１−１ｂのそれぞれから延伸した形状であるため、筐体１１の放熱面積が増大して高い放熱性を有している。そして、側面１１−２において部品取付面１１−１よりも背面側には、光軸Ｃ方向に延伸する切り欠き１１−２ａが形成されている。切り欠き１１−２ａは、側面１１−２の背面側の端部から光軸Ｃ方向の中央部まで延伸している。切り欠き１１−２ａは、アーム２０の回動を許容するものである。また、切り欠き１１−２ａは、光源モジュール１２から発生する熱によって加熱された筐体１１内の空気の排出経路としても機能する。
【００１４】
光源モジュール１２は、絶縁シート１４を介して部品取付正面１１−１ａに固定される。光源モジュール１２は、発光モジュール１２−２と、発光モジュール１２−２を正面側から保持するソケット前面部１２−１と、発光モジュール１２−２を背面側から保持するソケット背面部１２−３とを有する。発光モジュール１２−２は、発光素子であるＣＯＢ（Ｃｈｉｐ  ｏｎ  Ｂｏａｒｄ）−ＬＥＤを備える。発光モジュール１２−２は、ＣＯＢ−ＬＥＤに代えて複数のＬＥＤを備えていてもよい。
【００１５】
光源モジュール１２の前方には、集光レンズ１５が左右一対のレンズホルダ１６によって挟持された状態で筐体１１内に配置されている。以下、図５及び図６を用いて集光レンズ１５の保持構造について説明する。
【００１６】
図５は、本発明の実施の形態１に係る照明器具１００の部品取付正面１１−１ａの正面図である。図６は、本発明の実施の形態１に係る照明器具１００における集光レンズ１５の保持構造を説明する要部概略断面図である。
集光レンズ１５を保持するレンズホルダ１６は、図６に示すように背面に凸部１６−１が形成されている。レンズホルダ１６の背面に対向する部品取付正面１１−１ａには、ボス１１−３ａが形成されており、ボス１１−３ａに凸部１６−１が嵌合することで、レンズホルダ１６が部品取付正面１１−１ａに保持されている。また、部品取付正面１１−１ａには、図５に示すようにリブ１１−４ａが正面側に突出して形成されており、リブ１１−４ａの先端面がレンズホルダ１６の背面に接触してレンズホルダ１６を支持している。また、ボス１１−３ａ及びリブ１１−４ａは、レンズホルダ１６と部品取付正面１１−１ａとの間に、光源モジュール１２を配置する空間を確保するスペーサとしても機能する。このようにレンズホルダ１６は、ボス１１−３ａ及びリブ１１−４ａで部品取付正面１１−１ａと接触する構成であり、部品取付面１１−１との接触面積の増大が抑制されている。
【００１７】
以上の構成において、光源モジュール１２が発する熱は、絶縁シート１４を介して筐体１１に伝わる。すなわち、光源モジュール１２が発する熱は、まず絶縁シート１４を介して部品取付面１１−１に伝わり、更に部品取付面１１−１から側面１１−２に伝わる。そして、側面１１−２から空気中に放熱される。このように側面１１−２は放熱面として機能するため、側面１１−２を例えば半円筒状とする構成に比べて本実施の形態１では筒状としたことで、高い放熱性が得られ、効率よく放熱することが可能となっている。
【００１８】
ここで、図１〜図４の説明に戻る。
筐体１１内において部品取付面１１−１の背面側の空間には、上述したように電源ユニット１７が収納されている。電源ユニット１７は、ユニット筐体１７ａ内に電源基板（図示せず）を備えた構成を有する。電源ユニット１７は、図３及び図４に示すように板金のケース１８で覆われた状態で筐体１１内に収容されている。電源ユニット１７をケース１８で覆うことにより、電源ユニット１７の充電部をエンクローズし、トラッキング等の発生を抑制することができる。また、ケース１８を介して電源ユニット１７の放熱性を向上させることができる。なお、ケース１８は、板金以外の材料、例えば樹脂で形成されていてもよい。
【００１９】
電源ユニット１７のユニット筐体１７ａ及びケース１８のそれぞれは、図２及び図４に示すように部品取付背面１１−１ｂに対向する側が開放されている。つまり、ユニット筐体１７ａ及び部品取付背面１１−１ｂに覆われるため、ユニット筐体１７ａ及びケース１８の部品取付背面１１−１ｂに対向する側に開口１７ｂ及び開口１８ａが形成されている。これにより、ユニット筐体１７ａ及びケース１８の部材費及び加工費を低減させることができる。
【００２０】
ここで、本実施の形態１は、電源ユニット１７を筐体１１の内部に収容した構成において、光源モジュール１２から発生する熱が電源ユニット１７へ伝わることを抑制する構造を特徴としている。以下、具体的な構造について図４を参照して説明する。
【００２１】
図４に示すように、電源ユニット１７は、筐体１１内において部品取付背面１１−１ｂから、照明器具１００の光軸Ｃの方向に隙間距離Ｇ１だけ離れた位置に配置されている。隙間距離Ｇ１は、以下に説明する本体部１０の重量バランス等を考慮して適宜設定すればよい。このように電源ユニット１７を部品取付背面１１−１ｂから離して配置することにより、光源モジュール１２から発せられて部品取付面１１−１に伝わった熱が電源ユニット１７に伝わることを抑制できる。
【００２２】
また、電源ユニット１７と筐体１１の側面１１−２との間に、隙間Ｇ２を設けている。また電源ユニット１７の背面とケース１８との間に、隙間Ｇ３を設けている。このように、電源ユニット１７が筐体１１の側面１１−２及びケース１８との間に隙間Ｇ２及び隙間Ｇ３を介して配置されることで、この隙間が断熱空間となり、光源モジュール１２から筐体１１に伝わった熱が電源ユニット１７に伝わることを抑制できる。また、この隙間Ｇ２及び隙間Ｇ３による空間は、電源ユニット１７の本体部から発する熱の放熱空間としても機能し、電源ユニット１７の熱の放熱の促進に寄与する。また、筐体１１の側面１１−２の背面側は閉じられずに開放されているので、電源ユニット１７の本体部から発せられた熱は、筐体１１の背面側から空気中へ効率良く放熱される。
【００２３】
また、隙間Ｇ２及び隙間Ｇ３を設けることにより、光源モジュール１２から電源ユニット１７への配線の取り回し及び配線の接続位置の自由度を広げることができる。
【００２４】
電源ユニット１７への伝熱を抑制する構造として、部品取付面１１−１の厚みが、ソケット前面部１２−１の厚みと同程度に構成されている。これにより、部品取付面１１−１の厚みをソケット前面部１２−１よりも薄くする場合に比べて部品取付面１１−１の熱抵抗を小さくできる。よって、光源モジュール１２から部品取付面１１−１への熱伝達を促進でき、結果として光源モジュール１２の熱を効率良く筐体１１に拡散させて放熱させることができる。
【００２５】
そして、図４に示すように側面１１−２の部品取付面１１−１より背面側の厚みは、光軸Ｃ方向で背面側から部品取付背面１１−１ｂに近づく程、厚くなっている。これにより、側面１１−２の部品取付面１１−１より背面側は、部品取付面１１−１に近づく程、熱抵抗が小さくなる。よって、部品取付面１１−１から側面１１−２への熱伝達を促進できる。また、見方を変えれば、筐体１１の側面１１−２の部品取付面１１−１より背面側の厚みは、光軸Ｃ方向で部品取付面１１−１から離れる程、薄くなっている。このような形状により側面１１−２の空気との接触面積が増え、側面１１−２からの放熱性を向上できる。
【００２６】
次に、アーム２０と筐体１１との固定構造について説明する。
図７は、本発明の実施の形態１に係る照明器具１００の筐体１１を背面側から見た図である。図８は、本発明の実施の形態１に係る照明器具１００から電源ユニット１７を取り外した状態を背面側から見た図である。
【００２７】
アーム２０は、本体部１０をアーム軸２１により回動自在に支持する部材である。アーム２０は、プラグ３０と接続される側とは反対側の端部に、アーム軸２１を通す孔を有する。この孔にアーム軸２１が通されて、図２に示すようにアーム軸２１の両端部がアーム軸受け部２２に支持される。
【００２８】
アーム軸受け部２２は、アーム軸２１を介してアーム２０を保持するものであり、部品取付背面１１−１ｂに強固に取り付けられる。本実施の形態１では、アーム軸受け部２２は以下詳述するように４箇所のねじ止めによって部品取付背面１１−１ｂに強固に取り付けられる。アーム軸受け部２２は、アーム軸２１を通す軸孔が形成された軸受面２２ａと軸受面２２ａから垂直に延びる取付面２２ｂとを有する左右一対のＬ字状部材で構成されており、取付面２２ｂには、ねじ止めに用いられる貫通孔が上下２箇所に形成されている。
【００２９】
全４箇所のねじ止め箇所のうち、図８に示すように光軸Ｃを含む平面Ｐから遠い２箇所で、取付面２２ｂが部品取付背面１１−１ｂにねじ止めされる。具体的には、取付面２２ｂの貫通孔にねじ４０が通され、部品取付背面１１−１ｂに形成されたねじ穴１１−６（図７参照）に締結される。このようにアーム２０がアーム軸２１及びアーム軸受け部２２を介して部品取付背面１１−１ｂに固定されることで、本体部１０がアーム軸２１により回動自在となっている。具体的には、本体部１０は、光軸Ｃが水平方向となる水平姿勢から光軸Ｃが垂直方向となる垂直姿勢となるまで回動でき、光の照射方向を上下方向に変更することが可能となっている。なお、全４箇所のねじ止め箇所のうち、光軸Ｃを含む平面Ｐから近い２箇所は、後述するがアーム軸受け部２２と電源ユニット１７との共締めに用いられる。
【００３０】
次に、電源ユニット１７とプラグ３０との接続について図３及び図４を参照して説明する。
電源ユニット１７は、ハーネス３１によってプラグ３０と電気的に接続されている。ハーネス３１は、図３に示すようにプラグ３０からアーム２０に沿って引き延ばされ、アーム２０に形成された電線支持部２３（図２参照）の孔２３−１（図８参照）に、正面側から背面側へ通される。そして、ハーネス３１は、ケース１８の開口１８ａ及び電源ユニット１７の開口１７ｂから電源ユニット１７内に引き込まれ、電源基板（図示せず）に電気的に接続される。
【００３１】
このようにハーネス３１はアーム２０の電線支持部２３に支持されており、アーム２０の位置が変わると、その位置移動に伴ってハーネス３１も移動する。ハーネス３１は、電源ユニット１７と部品取付背面１１−１ｂとの間の隙間距離Ｇ１による空間を移動空間として移動する。ハーネス３１を支持する電線支持部２３と電源ユニット１７の開口１７ｂとは、共に光軸Ｃ方向の同一領域、具体的には側面１１−２内において光軸Ｃ方向の中心部に配置されている。このため、ハーネス３１を電線支持部２３から電源ユニット１７まで最短距離で配置し、ハーネス３１の長さを短くすることが可能となっている。
【００３２】
次に、電源ユニット１７の筐体１１の内部への固定構造について図７〜図９を参照して説明する。
【００３３】
図９は、本発明の実施の形態１に係る照明器具１００を背面側から見た図である。
電源ユニット１７が固定される部品取付背面１１−１ｂには、背面側に突出した中空状のボス１１−３ｂが形成されている。ボス１１−３ｂ内に電源ユニット１７の正面側に形成された凸部（図示せず）が嵌合することで、電源ユニット１７が部品取付背面１１−１ｂに固定されている。また、部品取付背面１１−１ｂには、背面側に突出したリブ１１−４ｂが形成されており、リブ１１−４ａの先端面が電源ユニット１７の正面に接触して電源ユニット１７を支持している。
【００３４】
また、部品取付背面１１−１ｂには、背面側に突出した仕切り板１１−５が左右方向に延びて形成されている。仕切り板１１−５は、部品取付背面１１−１ｂよりも背面側の空間をアーム２０を収納する上部空間と電源ユニット１７を収納する下部空間とに仕切るものである。仕切り板１１−５の背面側には、図４に示すように電源ユニット１７及びケース１８のそれぞれの正面側の開口１７ｂ及び開口１８ａとの間にハーネス３１が通る空間が確保されている。
【００３５】
電源ユニット１７を収容するケース１８の前面には、図９に示すように背面視においてアーム２０側に突出する電源ユニット取付部１７−１が左右一対、形成されている。電源ユニット取付部１７−１は、アーム軸受け部２２の取付面２２ｂに背面側から当接している。電源ユニット取付部１７−１には前後方向に貫通する貫通孔が形成されている。この貫通孔と、アーム軸受け部２２の取付面２２ｂに形成された４つの貫通孔のうち光軸Ｃを含む平面Ｐから近い２箇所の貫通孔とにねじ４１が通され、部品取付背面１１−１ｂに締結されることで、ケース１８がアーム軸受け部２２と共に部品取付背面１１−１ｂに固定されている。このように、ケース１８部分で電源ユニット１７とアーム軸受け部２２とが部品取付背面１１−１ｂに共締めされることで、締結に用いるねじの本数を減らすことができる。
【００３６】
ここで、電源ユニット取付部１７−１は、隙間距離Ｇ１だけ正面側に電源ユニット１７の開口１７ｂから突出している。このように、電源ユニット取付部１７−１が隙間距離Ｇ１だけ正面側に突出することで、上述したように電源ユニット１７が部品取付背面１１−１ｂから隙間距離Ｇ１だけ離して取り付けられる。
【００３７】
次に、本体部１０の重量バランスについて説明する。
アーム軸２１には本体部１０の重量がかかるため、アーム軸２１を基準として光軸Ｃ方向に本体部１０の重量バランスが取れていないと、照明器具１００の設置後に本体部１０がアーム軸２１を中心として回動する可能性がある。つまり、本体部１０の姿勢が意図せず変わってしまい、光の照射領域が本来の照射位置から移動する可能性がある。よって、このような意図しない本体部１０の姿勢変化を抑制するため、本体部１０の重心をアーム軸２１に一致させるか又は近づけることが好ましい。
【００３８】
ここで、アーム軸２１は、図３に示すように、側面視で筐体１１の光軸Ｃ方向の略中央に配置される。アーム軸２１を光軸Ｃ方向の略中央に位置させるため、部品取付面１１−１は光軸Ｃ方向で筐体１１の中央よりも光源モジュール１２側に寄せて配置されている。
【００３９】
このように、アーム軸受け部２２が筐体１１の光軸Ｃ方向の略中央に配置されていることで、本体部１０をアーム軸２１を中心として回動させて光の照射領域を変更する際に、回動量に対する照射領域の移動量を小さくできる。アーム軸受け部２２が例えば筐体１１の背面側の端部に配置されている場合、筐体１１内の正面側に配置される光源モジュール１２とアーム軸２１との光軸Ｃ方向の位置が離れるため、本体部１０の回動量に対する照射領域の移動量が大きくなる。つまり、照射領域を変更しようとしてユーザが本体部１０を把持して回動させた際に、本体部１０の回動量に対して照射領域がユーザが想定するよりも大きく移動してしまう。これに対し、本実施の形態１ではアーム軸受け部２２が光軸Ｃ方向の略中央に配置されていることで、本体部１０の回動量と本体部１０の回動に伴う照射領域の移動量とを感覚的に近づけることができる。
【００４０】
本体部１０の重心をアーム軸２１に近づけるには、本体部１０内に配置される部品のうち、重量物の一つである電源ユニット１７の配置位置を考慮すればよい。具体的には、設計段階において、電源ユニット１７の重量を踏まえて電源ユニット１７の光軸Ｃ方向の配置位置を調整し、本体部１０の重量バランスを調整すればよい。本実施の形態１の場合、本体部１０の重心を側面視でアーム軸２１よりもやや背面側に位置した構成としている。具体的には、アーム軸２１を中心として側面視で光源モジュール１２側と電源ユニット１７側との重量バランスの比率（図３のａ：ｂの重量バランスの比率）が、約４．５：５．５となるように調整している。
【００４１】
また、電源ユニット１７を上下方向でアーム軸２１に近づける配置とすることで、本体部１０の重心をアーム軸２１に近づけ、アーム２０の可動による照明器具１００の重量バランスの悪化を抑制している。以下、この構成について図７を参照して説明する。
部品取付背面１１−１ｂには、上述したように仕切り板１１−５が形成されており、部品取付背面１１−１ｂよりも背面側の筐体１１内の空間のうち、仕切り板１１−５の高さ位置よりも下方の空間が電源ユニット１７の配置空間となる。仕切り板１１−５が仮に光軸Ｃの高さ位置に形成されている場合、電源ユニット１７の配置位置は光軸Ｃよりも下方となる。しかし、本実施の形態１では、仕切り板１１−５が光軸Ｃよりも上方側、つまりアーム軸２１に寄せた位置に形成されていることで、電源ユニット１７を、光軸Ｃの高さ位置よりもアーム軸２１側に近づけて配置できる。
【００４２】
このように電源ユニット１７をアーム軸２１に近づける構成により、本体部１０の重心をアーム軸２１に近づけ、アーム２０の可動による照明器具１００の重量バランスの悪化を抑制できる。
【００４３】
以上説明したように、本実施の形態１によれば、筐体１１内において電源ユニット１７を部品取付背面１１−１ｂから離して配置したので、光源から発せられて部品取付面１１−１に伝わった熱が電源ユニット１７へ伝わることを抑制できる。
【００４４】
また、電源ユニット１７は、筐体１１の側面１１−２との間に隙間を介して配置されているので、光源モジュール１２から発せられて筐体１１の側面１１−２に伝わった熱が電源ユニット１７に伝わることを抑制できる。
【００４５】
また、電源ユニット１７は、部品取付面１１−１と対向する側が開放されているので、電源ユニット１７の部材費及び加工費を低減させることができる。
【００４６】
また、電源ユニット１７に接続されるハーネス３１は、電源ユニット１７の開放部分である開口１７ｂから電源ユニット１７内に引き込まれており、電源ユニット１７の開放部分を利用してハーネス３１をユニット筐体１７ａ内に引き込むことができる。
【００４７】
アーム２０は、筐体１１の部品取付面１１−１に固定されたアーム軸受け部２２に回動自在に取り付けられるアーム軸２１と、ハーネス３１を通す孔２３−１が形成された電線支持部２３とを備えているので、ハーネス３１を電線支持部２３で支持することができる。
【００４８】
また、筐体１１の側面１１−２のうち、部品取付面１１−１よりも背面側の部分が、背面側から正面側に向かうに連れて厚みが厚く形成されている。これにより、側面１１−２の部品取付面１１−１より背面側は部品取付面１１−１に近づく程、熱抵抗が小さくなる。よって、部品取付面１１−１から側面１１−２への熱伝達を促進でき、結果として光源モジュール１２の熱を効率良く筐体１１に拡散させて放熱させることができる。
【００４９】
また、部品取付面１１−１は、光源モジュール１２を正面側から保持するソケット前面部１２−１と同じ厚みに形成されている。これにより、部品取付面１１−１の厚みをソケット前面部１２−１よりも薄くする場合に比べて部品取付面１１−１の熱抵抗を小さくできる。よって、光源モジュール１２から部品取付面１１−１への熱伝達を促進でき、結果として光源モジュール１２の熱を効率良く筐体１１に拡散させて放熱させることができる。
【００５０】
また、筐体１１の側面１１−２は、アーム２０の回動を許容する切り欠き１１−２ａが形成された筒状である。このように筐体１１の側面１１−２を、必要箇所のみ切り欠かれた筒状としたので、特許文献１のように半円筒状とした構成に比べて光源モジュール１２の熱を放熱するための表面積を広く確保でき、放熱効果を高めることができる。また、切り欠き１１−２ａは、本体部１０を水平姿勢とした際に上方側に位置するため、側面１１−２の内部の熱を、自然対流によって切り欠き１１−２ａを通じて筐体１１の内部から外部へと放熱することができる。
【符号の説明】
【００５１】
１０  本体部、１１  筐体、１１−１  部品取付面、１１−１ａ  部品取付正面、１１−１ｂ  部品取付背面、１１−２  側面、１１−２ａ  切り欠き、１１−３ａ  ボス、１１−３ｂ  ボス、１１−４ａ  リブ、１１−４ｂ  リブ、１１−５  仕切り板、１１−６  ねじ穴、１２  光源モジュール、１２−１  ソケット前面部、１２−２  発光モジュール、１２−３  ソケット背面部、１４  絶縁シート、１５  集光レンズ、１６  レンズホルダ、１６−１  凸部、１７  電源ユニット、１７−１  電源ユニット取付部、１７ａ  ユニット筐体、１７ｂ  開口、１８  ケース、１８ａ  開口、２０  アーム、２１  アーム軸、２２  アーム軸受け部、２２ａ  軸受面、２２ｂ  取付面、２３  電線支持部、２３−１  孔、３０  プラグ、３１  ハーネス、４０  ねじ、４１  ねじ、１００  照明器具、Ｃ  光軸、Ｇ１  隙間距離、Ｇ２  隙間、Ｇ３  隙間、Ｐ  平面。
【図１】
2020021669.tif 000003
【図２】
2020021669.tif 000004
【図３】
2020021669.tif 000005
【図４】
2020021669.tif 000006
【図５】
2020021669.tif 000007
【図６】
2020021669.tif 000008
【図７】
2020021669.tif 000009
【図８】
2020021669.tif 000010
【図９】
2020021669.tif 000011